(57)【要約】      （修正有）【課題】カメラが取り付けられた状態で左右の重量をバランスさせることができるカメラ用スタンドを提供する。【解決手段】カメラ用スタンドＳは、左右に溝部が高さ方向に沿って形成された立設する支柱１３と、左右の溝部に昇降可能にそれぞれ係合する２つのカメラ台１４Ｒ，１４Ｌと、２つのカメラ台を互いに連結する支柱の頭頂部に付設された滑車１５Ｒ，１５Ｌを内蔵するヘッドを経由したワイヤー１６とを備え、それぞれカメラが搭載された２つのカメラ台は、互いに重量バランサーとして機能しながら、一方のカメラ台が溝部に沿って上昇すると、その動作に応じて、ワイヤーにより連結された他方のカメラ台が溝部に沿って下降することを特徴とする。【選択図】図１
0003185364.tif 000002
【実用新案登録請求の範囲】
【請求項１】
左右に溝部が高さ方向に沿って形成された立設する支柱と、
前記左右の溝部に昇降可能にそれぞれ係合する２つのカメラ搭載部と、
２つの前記カメラ搭載部を互いに連結する前記支柱の頭頂部に付設された滑車を内蔵するヘッドを経由したワイヤーとを備え、
それぞれカメラが搭載された２つの前記カメラ搭載部は、互いに重量バランサーとして機能しながら、一方の前記カメラ搭載部が前記溝部に沿って上昇すると、その動作に応じて、前記ワイヤーにより連結された他方の前記カメラ搭載部が前記溝部に沿って下降することを特徴とするカメラ用スタンド。
【請求項２】
２本の立設する支柱と、
それぞれの前記支柱に加工された溝部、付設されたガイド及び角柱の外角などの形状に沿って昇降可能に係合するカメラ搭載部とを備え、
それぞれカメラが搭載された２つの前記カメラ搭載部は、互いに重量バランサーとして機能しながら独立して前記溝部などに沿って上昇及び下降が可能であることを特徴とするカメラ用スタンド。
【請求項３】
前記カメラ搭載部は、重量バランス調整部材（バランサー）を格納する格納手段を備えることを特徴とする請求項１又は２に記載のカメラ用スタンド。
【請求項４】
フランジの交換により前記支柱を立設する脚部の向きを変更可能なことを特徴とする請求項１から３のいずれか１項に記載のカメラ用スタンド。
【考案の詳細な説明】
【技術分野】
【０００１】
本考案は、左右２つのカメラが互いに重量バランサーとして機能するように搭載されるカメラ用スタンドに関する。
【背景技術】
【０００２】
従来、結婚記念写真等のように集合人物の記念撮影等を行う場合に、写真撮影の失敗があった際の予備としてさらにもう一枚の写真撮影が行われることがあった。このような主撮影と予備撮影を行うためや、単に複数のカメラにより撮影を行うためのカメラ用スタンドとして、主柱の左右のいずれか一側にカメラ台アームを複数突設し、一のカメラ台アームに主撮影用のカメラを取り付け、他のカメラ台アームに予備撮影用のカメラを取り付けたうえで、左右の重量バランスをとって倒れないようにする等のために、脚部近傍の他側にバランスウェイト（おもり）を付加させたものがある。
【０００３】
しかし、従来のカメラの種類が多種類に亘り、かつ、その重量・サイズ等もまちまちであった状況では、バランスウェイトの重量を増加させるためにはカメラ用スタンドに付加する体積に限界があった。さらに、バランスウェイトの重量が大きいと、カメラ用スタンドへの難儀な組立作業時や搬送・運搬作業に支障が生じていた。
【０００４】
そこで、スプリング（バネ）を用いて左右の重量をバランスさせる重量バランス機構を主柱の内部に備えたカメラ用スタンドが開発された。スプリングによれば体積を増加することなく、出力を変更することができた。
【０００５】
関連技術として、バランスウェイトを付加することなく低コストでありながら、撮影時における操作が重く、軽快性に欠けるなどの各種操作上の負担を低減したカメラ用スタンドを提供する技術が開示されている（特許文献１参照）。
そのカメラ用スタンドは、基台に立設された下段主柱と、この下段主柱の上部で上下動可能な上段主柱と、この上段主柱の上端に取り付けられて上段主柱とともに上下動するカメラアームとを有して構成される。また、カメラ用スタンドは、２つのカメラが取り付けられた状態におけるカメラアームの重量をコンストンスプリングを用いて上下方向にバランスさせるようになっている。これにより、重量の大きいカメラアームが設置された場合であっても良好に上段主柱の上下移動操作が可能となる。また、コンストンスプリングは、カメラアームの内部に設けられ、従来のスタンドにおける上下移動可能範囲の性能を損ねることもない。
【先行技術文献】
【特許文献】
【０００６】
【特許文献１】登録実用新案第３０２８７６６号公報
【考案の概要】
【考案が解決しようとする課題】
【０００７】
しかしながら、上記関連技術では、スプリングを用いるため、金属疲労による寿命でスプリングが破断・壊れたから取り換えて欲しいというユーザーの要望や、近年のカメラは軽量化したため弱いスプリングに取り換えて欲しいというユーザーの要望があり、時代を逆戻りして再び、バランスウェイトを付加したりして対応することが必要となっていた。そのため、上記のバランスウェイトを付加した場合の問題点が生じてしまっていた。
また、スプリングを用いる場合にはストロークの制約上、支柱の高さに上限があり、この問題はバランスウェイトを付加した場合も同様であったので、ハイアングル撮影に必要な高さの支柱によるスタンドを製作することは困難であった。
【０００８】
一方で、搭載されるカメラが多種類に亘っていた時代に変わり、近時は複数の記録媒体が組み込まれるデジタルカメラが発売され、カメラが１台で済むようにもなってきている。
【０００９】
本考案の目的は、カメラが取り付けられた状態で左右の重量をバランスさせることができるカメラ用スタンドを提供することにある。
【課題を解決するための手段】
【００１０】
本考案の第１のカメラ用スタンドは、左右に溝部が高さ方向に沿って形成された立設する支柱と、
前記左右の溝部に昇降可能にそれぞれ係合する２つのカメラ搭載部と、
２つの前記カメラ搭載部を互いに連結する前記支柱の頭頂部に付設された滑車を内蔵するヘッドを経由したワイヤーとを備え、
それぞれカメラが搭載された２つの前記カメラ搭載部は、互いに重量バランサーとして機能しながら、一方の前記カメラ搭載部が前記溝部に沿って上昇すると、その動作に応じて、前記ワイヤーにより連結された他方の前記カメラ搭載部が前記溝部に沿って下降することを特徴とする。
これにより、スプリングやバランスウェイトを用いることなく、左右のカメラ自体により左右バランスを果たすことができる。したがって、１本の支柱により実現できるので構成が単純でありコストの低減が図られる。さらに、ハイアングル撮影に必要な高さの支柱とすることも容易にできる。また、ワイヤーにより２つのカメラ搭載部を連結するので、カメラを撮影に適した高さ位置に上昇・下降させて停止させて固定する際の、動作に伴う摩耗・摩減・破断する部品がないので半永久的に使用可能となるとともに、２つのカメラ搭載部のそれぞれに対応したスプリングを設けて別個に動作可能とする構造よりも簡易な構成によりコスト等の低減が図られる。
また、数十キログラムの重みとなることもあるバランスウェイトが不要であるので、組み立て時のカメラ用スタンドへの組み込み作業が無く、使用時も軽快であるため操作性が抜群に向上するし、カメラ用スタンドの梱包・搬送・輸送が重労働とならない。
さらに、左右重量のバランスの調整作業は特別な業者でなくユーザー側（使用者側）で自ら実施できるので利便性が高まる。
【００１１】
本考案の第２のカメラ用スタンドは、２本の立設する支柱と、
それぞれの前記支柱に加工された溝部、付設されたガイド及び角柱の外角などの形状に沿って昇降可能に係合するカメラ搭載部とを備え、
それぞれカメラが搭載された２つの前記カメラ搭載部は、互いに重量バランサーとして機能しながら独立して前記溝部などに沿って上昇及び下降が可能であることを特徴とする。
これにより、スプリングやバランスウェイトを用いることなく、左右のカメラ自体により左右バランスを果たすことができる。したがって、２本の支柱により実現できるので構成が単純でありコストの低減が図られる。さらに、ハイアングル撮影に必要な高さの支柱とすることも容易にできる。
また、数十キログラムの重みとなることもあるバランスウェイトが不要であるので、組み立て時のカメラ用スタンドへの組み込み作業が無く、使用時も軽快であるため操作性が抜群に向上するし、カメラ用スタンドの梱包・搬送・輸送が重労働とならない。
さらに、左右重量のバランスの調整作業は特別な業者でなくユーザー側（使用者側）で自ら実施できるので利便性が高まる。
【００１２】
また、カメラ搭載部は、重量バランス調整部材（バランサー）を格納する格納手段を備えることであってもよい。
これにより、カメラ搭載部が丸い棒状のパイプを突設したものであれば、例えば、その中空部分に、左右の重量の差分の重量バランス調整部材（おもり・調整用バランサー）を軽量側に格納することで左右のバランスを実現することができる。もちろん、左右同重量（質量）が理想であるが、左右のカメラ搭載部（雲台含む）と搭載されるカメラの合計重量に差分が生じることもあるし、また、右２台、左１台や、その逆のパターン等でのアンバランスの搭載の調整も可能となる。
【００１３】
また、フランジの交換により前記支柱を立設する脚部の向きを変更できてもよい。フランジで角柱の支柱を角度９０度変換することにより、ユーザーがカメラの被写体に対する向きを脚部の形状（Ｔ字状）に応じて利用しやすい位置とすることができる。
【考案の効果】
【００１４】
本考案によれば、カメラが取り付けられた状態で左右の重量のバランスが実現されたカメラ用スタンドを提供することができる。
【図面の簡単な説明】
【００１５】
【図１】本考案の第１の実施の形態に係るカメラ用スタンドの外観構成を示す正面図である。
【図２】本考案の第１の実施の形態に係るカメラ用スタンドの外観構成を示す側面図である（カメラ２０は不図示）。
【図３】本考案の第１の実施の形態に係るカメラ用スタンドの外観構成を示す背面図である（カメラ２０は不図示）。
【図４】本考案の第１の実施の形態に係るカメラ用スタンドを上部からの視点で見た概略図である。
【図５】本考案の第１の実施の形態に係るカメラ用スタンドの脚部のフランジの構造を示す図である。
【図６】本考案の第１の実施の形態に係るカメラ用スタンドの支柱を図１に示す位置から９０度回転させて脚部に装着した状態を示す図である。
【図７】本考案の第２の実施の形態に係るカメラ用スタンドの外観構成図である。
【考案を実施するための形態】
【００１６】
以下、本考案の第１の実施の形態を図面を参照しつつ説明する。図１及び図２に示すように、本実施形態のカメラ用スタンドＳは、光学機器の一例である「カメラ（デジタルカメラ）」が被写体の撮影方向に向かって左右にそれぞれ取り付けられ、２台同時に撮影に用いることは通常ないので、一方のカメラを使用時に、他方のカメラは左右の重量のバランサーとして機能させている。
【００１７】
本実施の形態のカメラ用スタンドＳは、図１及び図２に示すように、下面に取り付けたキャスタ１１によって床面上を移動自在の脚部としての基台１２（端部にフランジ１２１を備える。）と、この基台１２にフランジ１２１を介して立設された中空の支柱１３とを有している。
支柱１３の左右両側には、各々別個に上下動可能に一対のカメラ搭載部としてのカメラ台１４Ｒ、カメラ台１４Ｌ（以下、総称して「カメラ台１４」ということがある。）を設けている。カメラ台１４は、例えば昇降メタル、アームパイプブラケット、アームパイプ、雲台座などから構成されている。
これらカメラ台１４Ｒ、１４Ｌにカメラ２０Ｒ、カメラ２０Ｌ（以下、総称して「カメラ２０」ということがある。）がそれぞれ取り付けられた状態で左右の重量をバランスさせている。なお、カメラ２０は雲台等を介してカメラ台１４に搭載されることであってもよい。
【００１８】
基台１２は、第１の脚部１２ａと、この第１の脚部１２ａに連結される第２の脚部１２ｂとからなっており、この２つの脚部１２ａ、１２ｂにより全体が略Ｔ字型に構成されている。
【００１９】
支柱１３は、断面が略矩形状（一辺の長さは略１０センチメートル）の中空構造であり、左右面に上端から下端に亘って長手（高さ）方向に沿うそれぞれ１対の溝部１３１Ｒ、溝部１３１Ｌ（以下、総称して「溝部１３１」ということがある。）を各々設けている（図４も参照）。なお、支柱１３は角柱に限らず、円柱など任意の形状であってよい。また、溝部１３１は必ずしも１対でなく、どちらかの面側にのみ設けられていてもよい。
【００２０】
カメラ台１４は、支柱１３に設けた溝部１３１を転動するローラを内側に突設した可動部材と、この可動部材から水平方向に突出する断面が略円形状（径は略２センチメートル）の棒状のパイプ（アーム）とを備えている。長さ寸法は、例えば略３５センチメートルである。また、カメラ台１４は、自カメラ台１４の上下方向の移動（上昇・下降動作）を固定する固定ハンドル１４１Ｒ、固定ハンドル１４１Ｌ（以下、総称して「固定ハンドル１４１」ということがある。）を背面側（図３参照）にそれぞれ備えている。固定ハンドル１４１のロック位置は可変であり図３に示す位置に限定されない。なお、固定ハンドル１４１により締められる固定ネジの構造は、カメラ２０が取り付けられたカメラ台１４の重量が左右でバランスされているので、強固なものにする必要はなく、比較的平易なもので構成可能である。固定ハンドル１４１は、レバー方式の代わりにノブ方式が採用されてもよい。
カメラ台１４のアームは、材質は金属や樹脂などが広く適用可能である。その格納手段としての中空部分に、左右の重量の差分の例えば、１００グラム等の重量バランス調整部材としてのおもりを軽量側に格納することで左右のバランスを調整することができる。なお、おもりの形状や材質等は任意である。さらに、重量バランス調整部材としてのおもりは中空部分に格納する態様のみでなく、トレー状のものに載置するなど種々の付加態様が適用されてよい。
【００２１】
支柱１３の頭頂部には、一対の滑車１５Ｒ、滑車１５Ｌ（以下、総称して「滑車１５」ということがある。）を内蔵する滑車ケース（ハウジング）１７が配置されている（図４も参照）。滑車１５にはベアリングが組み込まれており、滑車軸を軸心として滑らかに回転する。
ワイヤー１６により連結された、左右それぞれのカメラ台１４Ｒ、１４Ｌをスムースに昇降させると同時に、滑車１５の外周部にワイヤー１６が滑車１５から外れることを防止するために上部にワイヤー１６を通すために必要最小限の溝部が設けられた所定のワイヤーガイド部材が嵌合して取り付けられることであってもよい。ワイヤー１６はチェーンなどにより実現されてもよい。
【００２２】
さらに、ユーザー使い勝手の希望により、本実施の形態に係るカメラ用スタンドＳの基台１２のフランジ１２１の構造は図５に示すように支柱１３を角度９０度変更して立設できるように２種のフランジを用意している。そこで、図６に本実施の形態に係るカメラ用スタンドＳの支柱１３を上記の図１に示す位置から９０度回転させて基台１２に装着した状態を示す。
このような状態であると、第１の脚部１２ａと、この第１の脚部１２ａに連結される第２の脚部１２ｂとにより全体が略Ｔ字型に構成されていても、図１に示す状態と異なり、脚部１２ｂ等が撮影者の真前の横方向に設置できるので、撮影者の足下が広くなりぶつかる等の邪魔にならない。
【００２３】
次に、本実施の形態におけるカメラ用スタンドＳの使用例を説明する。なお、左右のカメラ台１４Ｒ、１４Ｌにはそれぞれ同等の重量のカメラ２０Ｒ、カメラ２０Ｌが取り付けられているものとする。また、カメラ２０Ｒを撮影用のカメラとし、カメラ２０Ｌをバランサーとして機能させるカメラとして説明する。フランジ１２１は図１に示す所定の角度である。また、撮影時には、必要に応じてキャスタ１１により基台１２を所要の位置に移動させ、床面に固定して、撮影者は被写体に対するカメラ２０の高さ調整を行う。
【００２４】
まず、一方のカメラ２０Ｒを用いて単独撮影を行う場合について説明する。この場合は、固定ハンドル１４１Ｒ（必要に応じて固定ハンドル１４１Ｌも）を解除方向に回動させて上下方向の固定を解除し、カメラ２０Ｒが取り付けられたカメラ台１４Ｒを手指で上下方向に移動させながら高さ位置を決める。このとき、カメラ台１４Ｒが上方向に移動（上昇）する場合、他方のカメラ２０Ｌが取り付けられたカメラ台１４Ｌは、ワイヤー１６の長さにより許容される範囲まで自重により下方向に連動して移動（下降）する。また、カメラ台１４Ｒが下方向に移動（下降）する場合、他方のカメラ２０Ｌが取り付けられたカメラ台１４Ｌは、ワイヤー１６に引っ張られて上方向に連動して移動（上昇）する。高さ位置を決められたカメラ台１４Ｒは、再度、固定ハンドル１４１Ｒ（必要に応じて固定ハンドル１４１Ｌも）を反対方向の固定方向に回動させてカメラ台１４Ｒを固定する。このときカメラ２０Ｒとカメラ２０Ｌは同等の重量であるので、カメラ２０Ｌはカメラ２０Ｒのバランサーとなり、左右の重量バランスがとれて安定した状態で、カメラ２０Ｒにより所定の構図により被写体を撮影することができる。
なお、カメラ台１４のアームの中空部分に、わずかな左右の重量の差分にあたる、１００グラム等のおもりを必要な数量だけ軽量側に格納することにより容易に左右のバランスを微調整することができる。おもりは必ずしも格納されることを必要としなく吊り下げられたり、載置されることであってもよい。
【００２５】
次に、一方のカメラ２０Ｌを用いて上記の単独撮影（主撮影）の予備撮影等を行う場合について説明する。この場合は、固定ハンドル１４１Ｌ（必要に応じて固定ハンドル１４１Ｒも）を解除方向に回動させて上下方向の固定を解除し、カメラ２０Ｌが取り付けられたカメラ台１４Ｌを手指で上下方向に移動させながら高さ位置（主撮影時と同等の高さ位置であってよい）を決める。このとき、カメラ台１４Ｌが上方向に移動（上昇）する場合、他方のカメラ２０Ｒが取り付けられたカメラ台１４Ｒは、ワイヤー１６の長さにより許容される範囲まで自重により下方向に連動して移動（下降）する。また、カメラ台１４Ｌが下方向に移動（下降）する場合、他方のカメラ２０Ｒが取り付けられたカメラ台１４Ｒは、ワイヤー１６に引っ張られて上方向に連動して移動（上昇）する。高さ位置を決められたカメラ台１４Ｌは、再度、固定ハンドル１４１Ｌ（必要に応じて固定ハンドル１４１Ｒも）を反対方向の固定方向に回動させてカメラ台１４Ｌを固定する。このときカメラ２０Ｒとカメラ２０Ｌは同等の重量であるので、カメラ２０Ｒはカメラ２０Ｌのバランサーとなり、左右の重量バランスがとれて安定した状態で、カメラ２０Ｌにより所定の構図により被写体を撮影することができる。
なお、カメラ台１４のアームの中空部分に、わずかな左右の重量の差分にあたる、１００グラム等のおもりを必要な数量だけ軽量側に格納することにより容易に左右のバランスを微調整することができる。おもりは必ずしも格納されることを必要としなく吊り下げられたり、載置されることであってもよい。
【００２６】
上記の本実施の形態によれば、１本の支柱１３で一対のカメラ台１４を支持する構造としているので、スタンドの小型化を図ることができる。
また、金属疲労による寿命などで破断するリスクのあるスプリングや従来のバランスウェイトを用いることなく、左右のカメラ自体により左右バランスを果たすことができる。したがって、１本の支柱により実現できるので構成が単純でありコストの低減が図られる。さらに、ハイアングル撮影に必要な高さの支柱とすることも容易にできる。また、支柱頭頂部の滑車を介してワイヤーにより２つのカメラ搭載部を連結すると、カメラを撮影に適した高さ位置に上昇・下降させて停止させて固定する際の、動作に伴う摩耗・摩減・破断するなど故障の発生源になる部品がないので半永久的に使用可能となるとともに、２つのカメラ搭載部のそれぞれに対応したスプリングを設けて別個に動作可能とする構造よりも簡易な構成によりコスト等の低減が図られる。
また、構成部材及び搭載するカメラ付属品などすべてに対応する重量のバランスウェイトが不要になるので、スタンド組み立て時の難儀な作業や、カメラ用スタンドの重量が軽くなるので梱包・搬送・輸送が重労働とならない。また、軽くなることにより、使用時も軽快であるため操作性が抜群に向上する。
さらに、左右重量のバランスの調整作業は特別な業者でなくユーザー側（使用者側）で自ら実施できるので利便性が高まる。
また、単独撮影を行う場合に、使用しない他方のカメラを退避させておくことができるので、使用しない他方のカメラが邪魔にならず、使用するカメラの横から被写体を覗いて容易に構図を決めることができる。
また、複雑な重量バランス機構が不要であるので軽快で良好な操作性が実現できる。
【００２７】
次に、本考案の第２の実施の形態を図面を参照しつつ説明する。図７に示すように、本実施形態のカメラ用スタンドＳ´は、上記の第１の実施の形態（図１参照）と基台１２にフランジ１２１を介して立設された支柱１３の数が２本である点で相違する。その他の共通する部材等についての重複する説明は省略する。
【００２８】
カメラ用スタンドＳ´は、一対の支柱１３Ｒ、支柱１３Ｌ（以下、総称して「支柱１３」ということがある。）が設けられている。
なお、支柱１３Ｒ、支柱１３Ｌは角柱に限らず、円柱など任意の形状であってよい。支柱１３Ｒの右側には、上下動可能にカメラ搭載部としてのカメラ台１４Ｒを設け、支柱１３Ｌの左側には、上下動可能にカメラ搭載部としてのカメラ台１４Ｌを設けている。
【００２９】
一対の支柱１３Ｒ、支柱１３Ｌの頭頂部には、一対の滑車１５Ｒ、滑車１５Ｌを内蔵する滑車ケース（ハウジング）１７が配置されている。滑車１５にはベアリングが組み込まれており、滑車軸を軸心として滑らかに回転する。
ワイヤー１６により連結された、左右それぞれのカメラ台１４Ｒ、１４Ｌをスムースに昇降させると同時に、滑車１５の外周部にワイヤー１６が滑車１５から外れることを防止するために上部にワイヤー１６を通すために必要最小限の溝部が設けられた所定のワイヤーガイド部材が嵌合して取り付けられることであってもよい。
【００３０】
本実施の形態におけるカメラ用スタンドＳ´の使用例は基本的に上述の第１の実施の形態と同様であるので説明を省略する。
【００３１】
本実施の形態によれば、上述の第１の実施の形態における利点に加えて、支柱１３に２対の溝部を形成する必要がなく、また、細い支柱部材により構成可能であるので部材が簡素化する面があるという利点がある。
【００３２】
その他、いちいち例示はしないが、本考案はその構造を逸脱しない範囲内において、各構成部分の大きさや形状を含む種々の変更が加えられて実施されてもよい。例えば、支柱１３の左右両側に取り付けるカメラの台数が各々１台に限定されず、一方の側、あるいは両側にカメラを複数取り付けることであってもよい。「カメラ用スタンド」は架台本体の一例であり、「カメラ（デジタルカメラ：複数の記録媒体が組み込まれるものであってよい）」は光学機器の一例である。
【符号の説明】
【００３３】
Ｓ、Ｓ´    カメラ用スタンド
１１        キャスタ
１２        基台（脚部）
１２１      フランジ
１３        支柱
１４        カメラ台（昇降メタル、アームパイプブラケット、アームパイプ）
１５        滑車
１６        ワイヤー
１７        滑車ケース（ハウジング）
２０        カメラ
【図１】
0003185364.tif 000003
【図２】
0003185364.tif 000004
【図３】
0003185364.tif 000005
【図４】
0003185364.tif 000006
【図５】
0003185364.tif 000007
【図６】
0003185364.tif 000008
【図７】
0003185364.tif 000009
【手続補正書】
【提出日】平成25年6月11日(2013.6.11)
【手続補正１】
【補正対象書類名】明細書
【補正対象項目名】０００５
【補正方法】変更
【補正の内容】
【０００５】
関連技術として、バランスウェイトを付加することなく低コストでありながら、撮影時における操作が重く、軽快性に欠けるなどの各種操作上の負担を低減したカメラ用スタンドを提供する技術が開示されている（特許文献１参照）。
そのカメラ用スタンドは、基台に立設された下段主柱と、この下段主柱の上部で上下動可能な上段主柱と、この上段主柱の上端に取り付けられて上段主柱とともに上下動するカメラアームとを有して構成される。また、カメラ用スタンドは、２つのカメラが取り付けられた状態におけるカメラアームの重量をスプリングを用いて上下方向にバランスさせるようになっている。これにより、重量の大きいカメラアームが設置された場合であっても良好に上段主柱の上下移動操作が可能となる。また、スプリングは、カメラアームの内部に設けられ、従来のスタンドにおける上下移動可能範囲の性能を損ねることもない。
【手続補正２】
【補正対象書類名】明細書
【補正対象項目名】００１１
【補正方法】変更
【補正の内容】
【００１１】
本考案の第２のカメラ用スタンドは、２本の立設する支柱と、
それぞれの前記支柱に加工された溝部、付設されたガイド及び角柱の外角などの形状に沿って昇降可能に係合するカメラ搭載部とを備え、
それぞれカメラが搭載された２つの前記カメラ搭載部は、互いに独立して前記溝部などに沿って上昇及び下降することを特徴とする。
これにより、スプリングやバランスウェイトを用いることなく、左右のカメラ自体により左右バランスを果たすことができる。したがって、２本の支柱により実現できるので構成が単純でありコストの低減が図られる。さらに、ハイアングル撮影に必要な高さの支柱とすることも容易にできる。
また、数十キログラムの重みとなることもあるバランスウェイトが不要であるので、組み立て時のカメラ用スタンドへの組み込み作業が無く、使用時も軽快であるため操作性が抜群に向上するし、カメラ用スタンドの梱包・搬送・輸送が重労働とならない。
さらに、左右重量のバランスの調整作業は特別な業者でなくユーザー側（使用者側）で自ら実施できるので利便性が高まる。
【手続補正３】
【補正対象書類名】実用新案登録請求の範囲
【補正対象項目名】全文
【補正方法】変更
【補正の内容】
【実用新案登録請求の範囲】
【請求項１】
左右に溝部が高さ方向に沿って形成された立設する支柱と、
前記左右の溝部に昇降可能にそれぞれ係合する２つのカメラ搭載部と、
２つの前記カメラ搭載部を互いに連結する前記支柱の頭頂部に付設された滑車を内蔵するヘッドを経由したワイヤーとを備え、
それぞれカメラが搭載された２つの前記カメラ搭載部は、互いに重量バランサーとして機能しながら、一方の前記カメラ搭載部が前記溝部に沿って上昇すると、その動作に応じて、前記ワイヤーにより連結された他方の前記カメラ搭載部が前記溝部に沿って下降することを特徴とするカメラ用スタンド。
【請求項２】
２本の立設する支柱と、
それぞれの前記支柱に加工された溝部、付設されたガイド及び角柱の外角などの形状に沿って昇降可能に係合するカメラ搭載部とを備え、
それぞれカメラが搭載された２つの前記カメラ搭載部は、互いに独立して前記溝部などに沿って上昇及び下降することを特徴とするカメラ用スタンド。
【請求項３】
前記カメラ搭載部は、重量バランス調整部材（バランサー）を格納する格納手段を備えることを特徴とする請求項１又は２に記載のカメラ用スタンド。
【請求項４】
フランジの交換により前記支柱を立設する脚部の向きを変更可能なことを特徴とする請求項１から３のいずれか１項に記載のカメラ用スタンド。